(57)【特許請求の範囲】
【請求項１】
伸縮可能なグロメット内に電線を挿通したグロメットの電線配索構造であって、
前記グロメットは螺旋状に形成された蛇腹部を有し、
前記電線は前記グロメット内に挿通された部分が複数のループ部で螺旋状をなすように伸縮自在に設けられ、
前記複数のループ部が前記グロメット内側面に密着していることを特徴とするグロメットの電線配索構造。
【発明の詳細な説明】
【０００１】
【発明の属する技術分野】
本発明は、例えば自動車のボディパネルとドアサイドパネルとの間に装着されるグロメット内に電線を挿通配索するグロメットの電線配索構造およびその電線配索方法に関する。
【０００２】
【従来の技術】
従来、図６に示すように、自動車のドア１に配設されたウインドスイッチ２、ウインドモータ３等に接続される電線（ワイヤーハーネス）４は、ボディ５のボディパネル６とドア１のドアサイドパネル７との間に装着された伸縮可能なグロメット８内に挿通されて配索されている。
【０００３】
グロメット８は、合成ゴムで一体成形されており、図７および図８に示すように、電線４を挿通する電線挿通孔９を有する両端のフランジ状のパネル取付部１０，１０を蛇腹部１１で一体に連結してなり、ドア１の開閉操作による屈曲、伸縮に対応するようになっている。
【０００４】
【発明が解決しようとする課題】
しかしながら、上記従来のグロメットの電線配索構造では、図９（ａ）、（ｂ）に示すように、グロメット８はドア１の開閉操作に対応して屈曲、伸縮するが、グロメット８の電線挿通孔９に配索させた電線４は、図８に示すように、直線状に挿通されており伸縮しないため、グロメット８の屈曲、伸縮に追従できない。
【０００５】
このため、グロメット８の屈曲により屈曲される電線４の屈曲部に摩擦が生じるとともに、加えてグロメット８の伸縮により電線４に力が加えられることによって、被膜が破損したり断線してしまうという問題があった。
【０００６】
本発明は、グロメット内に配索される電線の摩耗や破損、断線を防止することができるグロメットの電線配索構造およびその電線配索方法を提供することを目的とする。
【０００７】
【課題を解決するための手段】
上記目的を達成するために、請求項１の発明は、伸縮可能なグロメット内に電線を挿通したグロメットの電線配索構造であって、前記グロメットは螺旋状に形成された蛇腹部を有し、前記電線は前記グロメット内に挿通された部分が複数のループ部で螺旋状をなすように伸縮自在に設けられ、前記複数のループ部が前記グロメット内側面に密着していることを特徴とする。
【０００８】
このグロメットの電線配索構造では、グロメットは螺旋状に形成された蛇腹部を有し、前記電線は前記グロメット内に挿通された部分が複数のループ部で螺旋状をなすように伸縮自在に設けられ、前記複数のループ部が前記グロメット内側面に密着させたので、ドアの開閉操作によりグロメットが屈曲、伸縮するときに、グロメット内に挿通させた螺旋状をなす電線の複数のループ部が屈曲、伸縮してグロメットの屈曲、伸縮に追従する。したがって、請求項１記載の発明では、グロメット内に挿通させた電線の摩耗や破損、断線が防止される。特に、電線における複数のループ部が螺旋状のグロメットの内側面に密着しているので、グロメットが補強され、グロメットの局部的な屈曲が防止されるとともに、電線がグロメット内で振動しないため、異音の発生を防止できる。
【００１５】
【発明の実施の形態】
以下、本発明に係るグロメットの電線配索構造および電線配索方法の実施形態について、図１〜図４を用いて説明する。
【００１６】
図１は本発明に係るグロメットの電線配索構造を示す断面図、図２（ａ）はグロメットの斜視図、図２（ｂ）はグロメットの一部破断した斜視図、図３はグロメット内に挿通される電線の斜視図。図４（ａ）〜（ｅ）は、本発明に係るグロメットの電線配索方法を示す説明図である。
【００１７】
グロメット２０は、合成ゴムで一体成形されており、図１、図２（ａ）、（ｂ）に示すように電線２１を挿通する電線挿通孔２２を有する両端のフランジ状のボディパネル取付部２３とドアパネル取付部２４と、両パネル取付部２３，２４を一体に連結する伸縮可能な蛇腹部２５とからなる。
【００１８】
ボディパネル取付部２３とドアパネル取付部２４には、ボディパネル２６とドアサイドパネル２７にそれぞれ嵌着されるパネル嵌着溝２８，２９が設けられている。
【００１９】
蛇腹部２５は、それぞれ膨出部３１と谷部３２とが交互に設けられてなり、伸縮可能となっている。なお、蛇腹部２５は、螺旋状をなすように形成してもよい。
【００２０】
電線２１は、図１、図３に示すように、グロメット２０の蛇腹部２５内への挿通部が、複数のループ部３３が連続して平行に形成される螺旋状に形成されている、複数のループ部３３は、それぞれ谷部３２の内側面に密着するように形成されている。電線２１は、このようにループ状に形成されているため、伸縮自在となっている。
【００２１】
このようなグロメットの電線配索構造では、グロメット２０内に挿通させる電線２１に伸縮自在部としてのループ部３３が形成されているため、ドア（図示省略）の開閉操作により、グロメット２０の蛇腹部２５が屈曲、伸縮したときに、グロメット２０の蛇腹部２５内に挿通させた電線２１のループ部３３部が屈曲、伸縮してグロメット２０の屈曲、伸縮に追従する。したがって、グロメット２０内に挿通させた電線２１の摩耗や破損、断線を防止することができる。
【００２２】
また、グロメット２０内の電線２１のループ部３３が、蛇腹部２５の内面に密着しているので、グロメット２０の蛇腹部２５が補強され、蛇腹部２５の局部的な屈曲を防止することができる。
【００２３】
つぎに、上記構成からなるグロメットの電線配索方法について説明する。
【００２４】
（イ）まず、図４（ａ）に示すように、グロメット２０の蛇腹部２５の谷部３２の内径に対し若干小径の棒状部材３６の外周に、蛇腹部２５の螺旋ピッチと同ピッチの螺旋溝３７が形成された電線配索治具３８を用意する。
【００２５】
（ロ）つぎに、図４（ｂ）に示すように、電線配索治具３８の螺旋溝３７に沿って一方端から他方端に向けて電線２１を所望ピッチの長さに巻き回しておく。
【００２６】
（ハ）つづいて、図４（ｃ）に示すように、電線配索治具３８の螺旋溝３７に電線２１を巻き回した状態で、電線配索治具３８をグロメット２０のボディパネル取付部２３又はドアパネル取付部２４のいづれか一方側の電線挿通孔２２から蛇腹部２５の螺旋状の谷部３１に沿ってねじ込み方向に回転させながらグロメット２０内に挿入していく。こうして、電線配索治具３８をグロメット２０内へ挿入し終わると、電線２１の螺旋状部分の外周面が蛇腹部２５の螺旋状の膨出部３１の内側面に密着される。
【００２７】
（ニ）この状態で、図４（ｄ）に示すように、グロメット２０の両端に位置する電線における直線部３９をボディパネル取付部２３とドアパネル取付部２４とのそれぞれの電線固定部４０，４１にテープ巻き等により固定する。
【００２８】
（ホ）つぎに、図４（ｅ）に示すように、電線配索治具３８を蛇腹部２５の螺旋状の膨出部３１に沿って反ねじ込み方向に回転させながらグロメット２０内から取り出す。こうして、電線配索治具３８をグロメット２０から完全に取り出すと、電線２１の螺旋状の部分が蛇腹部２５の螺旋状の膨出部３１の内側面に密着された状態でグロメット２０内に配索される。
【００２９】
上記したグロメットの電線配索方法では、電線２１の摩耗や破損、断線を防止することができるグロメット２０内の電線２１の配索が容易にできる。
【００３０】
なお、本実施形態では、グロメット２０内に配索される電線２１の伸縮自在部を複数条のループ部３３からなる螺旋状に形成したが、単に１つのループのみを形成して伸縮自在部としてもよい。
【００３１】
図５は、上記実施形態の変形例を示すもので、グロメット２０に配索される電線２１の螺旋状部分の一端側の直線部３９をボディパネル取付部２３の電線固定部４０にテープ巻き等により固定する際に、グロメット２０の蛇腹部２５の長手方向に対し、所定の傾き４２を設定して固定している。
【００３２】
このグロメットの電線配索構造では、複数条のループ状３３からなる螺旋状部分が所定の傾きをもって配索されるので、ドア１の開閉操作による電線２１への応力集中を隣りのループ部３３に分散できるため、グロメット２０の電線２１の摩耗や破損、断線を防止することができる。
【００３３】
以上、実施形態について説明したが、本発明はこれに限定されるものではなく、構成の要旨に付随する各種の変更が可能である。
【００３４】
【発明の効果】
以上の説明より明らかなように、請求項１の発明によれば、グロメット内に挿通させる電線に伸縮自在部を設けたので、ドアの開閉操作によりグロメットが屈曲、伸縮するときに、電線の伸縮自在部が追従して屈曲、伸縮するため、グロメット内に挿通させた電線の摩耗や破損、断線を防止することができる。
【００３５】
請求項２の発明によれば、電線の伸縮自在部がループ状に形成されているので、請求項１の発明と同等の効果を得ることができる。
【００３６】
請求項３の発明によれば、請求項２の発明の効果に加えて、ループ状の電線がグロメットの内側面に密着しているため、グロメットを補強できるとともに、電線の振動を防止して異音が発生するのを防止できる。
【００３７】
請求項４の発明によれば、電線の摩耗や破損、断線を防止することができるグロメット内の電線の配索が容易にできる。
【図面の簡単な説明】
【図１】本発明に係るグロメットの電線配索構造の実施形態を示す断面図である。
【図２】（ａ）は、実施形態に係るグロメットの斜視図である。
（ｂ）は、実施形態に係るグロメットの一部破断した斜視図である。
【図３】実施形態に係るグロメット内に挿通される電線の斜視図である。
【図４】（ａ）〜（ｅ）は、本発明に係るグロメットの電線配索方法を示す説明図である。
【図５】本発明に係るグロメットの電線配索構造の変形例を示す断面図である。
【図６】従来のグロメットの電線配索構造の全体を示す説明図である。
【図７】従来のグロメットの電線配索構造を示す斜視図である。
【図８】従来のグロメットの電線配索構造を示す断面図である。
【図９】（ａ），（ｂ）は、従来のグロメットの電線配索構造のドアの開閉操作によるグロメットの動作説明図である。
【符号の説明】
２０…グロメット
２１…電線
２２…電線挿通孔
３３…ループ部（伸縮自在部）
３８…電線配索治具
【図１】
0003936551.tif 000002
【図２】
0003936551.tif 000003
【図３】
0003936551.tif 000004
【図４】
0003936551.tif 000005
【図５】
0003936551.tif 000006
【図６】
0003936551.tif 000007
【図７】
0003936551.tif 000008
【図８】
0003936551.tif 000009
【図９】
0003936551.tif 000010